(57)【要約】【課題】  ワイドパネルが使用されているか否かを確実に検出することができる照明装置を提供する。【解決手段】  フレネルレンズ１０を介して射出した照明光で被写体を照明する照明装置１であって、フレネルレンズ１０の前面に配置される第１位置と、フレネルレンズ１０の前面から退避されて収納部１４に収納される第２位置との間を移動可能なワイドパネル１２と、フレネルレンズ１０の周辺部の何れかの位置において、第１位置に配置されたワイドパネル１２に対向して設置されており、ワイドパネル１２がフレネルレンズ１０の前面に配置されているか否かを検出する検出部１６と、照明光を発光し、フレネルレンズ１０に対して移動可能に構成されており、検出部１６によりワイドパネル１２１０がフレネルレンズの前面に配置されていることが検出されたときに、フレネルレンズ１０に対して所定位置に配置される発光部８とを備える。【選択図】  図２
2010164870.tif 000002
【特許請求の範囲】
【請求項１】
フレネルレンズを介して射出した照明光で被写体を照明する照明装置であって、
前記フレネルレンズの前面に配置される第１位置と、前記フレネルレンズの前面から退避されて収納部に収納される第２位置との間を移動可能なワイドパネルと、
前記フレネルレンズの周辺部の何れかの位置において、前記第１位置に配置された該ワイドパネルに対向して設置されており、前記ワイドパネルが前記フレネルレンズの前面に配置されているか否かを検出する検出部と、
前記照明光を発光し、前記フレネルレンズに対して移動可能に構成されており、前記検出部により前記ワイドパネルが前記フレネルレンズの前面に配置されていることが検出されたときに、前記フレネルレンズに対して所定位置に配置される発光部と、
を備えることを特徴とする照明装置。
【請求項２】
前記検出部は、少なくとも１つのピンスイッチを含み、
前記ワイドパネルの周辺部の何れかにより前記ピンスイッチのピンが押下されることにより前記ワイドパネルが前記フレネルレンズの前面に配置されていることを検出することを特徴とする請求項１記載の照明装置。
【請求項３】
前記検出部は、少なくとも１つの磁気センサを含み、
前記磁気センサが、該磁気センサに対応して前記ワイドパネルの周辺部に設けられた磁性体に対して反応することにより、前記ワイドパネルが前記フレネルレンズの前面に設置されていることを検出することを特徴とする請求項１記載の照明装置。
【請求項４】
前記検出部は、前記フレネルレンズの周辺部上部に設置された上部磁気センサ及び前記フレネルレンズの周辺部下部に設置された下部磁気センサを含み、
前記上部磁気センサは、前記ワイドパネルが前記収納部に収納されているときに、前記下部磁気センサに対応して前記ワイドパネル上に設けられている前記磁性体に反応しない位置に配置されることを特徴とする請求項３記載の照明装置。
【発明の詳細な説明】
【技術分野】
【０００１】
本発明は、撮影用の照明光を射出する照明装置に関するものである。
【背景技術】
【０００２】
発光部から射出し、フレネルレンズを介した照明光により被写体を照明する閃光撮影装置（照明装置）では、照射角を広げるためのワイドパネルを内蔵している場合、収納部に収納されているワイドパネルを必要に応じて引き出し、フレネルレンズの前面に配置する。このとき、フレネルレンズに対して移動可能な発光部は、撮影レンズの焦点距離に応じた位置に配置される第一モードから、所定位置（ワイドパネルポジション）に配置される第二モードに移行する（例えば、特許文献１参照）。
【先行技術文献】
【特許文献】
【０００３】
【特許文献１】特開平８−５０３１８号公報
【発明の概要】
【発明が解決しようとする課題】
【０００４】
ところで、従来のワイドパネルを内蔵する照明装置では、ワイドパネルを収納する収納部内に配置された検出部によりワイドパネルが収納部に収納されているか否かを検出し、ワイドパネルが収納部に収納されていない場合にはワイドパネルが使用されていると判断され、発光部をワイドパネルポジションに固定していた。したがって、ワイドパネルの破損等によりワイドパネルを収納部に収納することができない場合にも、ワイドパネルが使用されていると誤判断され、発光部がワイドパネルポジションに固定され続けていた。また、特許文献１記載の照明装置では、ユーザーが手動で切換スイッチを押下することにより発光部を撮影レンズの焦点距離に応じて移動させるか、ワイドパネルポジションへ配置するかを切り換えていた。
【０００５】
本発明の目的は、ワイドパネルが使用されているか否かを確実に検出することができる照明装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の照明装置は、フレネルレンズ（１０）を介して射出した照明光で被写体を照明する照明装置（１）であって、前記フレネルレンズ（１０）の前面に配置される第１位置と、前記フレネルレンズ（１０）の前面から退避されて収納部（１４）に収納される第２位置との間を移動可能なワイドパネル（１２）と、前記フレネルレンズ（１０）の周辺部の何れかの位置において、前記第１位置に配置された該ワイドパネル（１２）に対向して設置されており、前記ワイドパネル（１２）が前記フレネルレンズ（１０）の前面に配置されているか否かを検出する検出部（１６）と、前記照明光を発光し、前記フレネルレンズ（１０）に対して移動可能に構成されており、前記検出部（１６）により前記ワイドパネル（１２）が前記フレネルレンズ（１０）の前面に配置されていることが検出されたときに、前記フレネルレンズ（１０）に対して所定位置に配置される発光部（８）とを備えることを特徴とする。
【発明の効果】
【０００８】
本発明の照明装置によれば、ワイドパネルが使用されているか否かを確実に検出することができる。
【図面の簡単な説明】
【０００９】
【図１】第１の実施の形態に係る照明装置の外観を示す斜視図である。
【図２】第１の実施の形態に係る照明装置の構成を示す断面図である。
【図３】第１の実施の形態に係る照明装置の構成を示す断面図である。
【図４】第１の実施の形態に係る照明装置の構成を示す断面図である。
【図５】他の照明装置の外観を示す斜視図である。
【図６】第２の実施の形態に係る照明装置の構成を示す断面図である。
【図７】第２の実施の形態に係る照明装置の構成を示す断面図である。
【発明を実施するための形態】
【００１０】
以下、図面を参照して、第１の実施の形態に係る照明装置について説明する。図１は第１の実施の形態に係る照明装置１の概略構成を示す図、図２はその前後方向における中央断面図である。照明装置１は、例えばカメラ等の上部に脚部２を用いて取り付けられ、カメラ等により撮影を行う際に、被写体を照明光で照明するために使用される。
【００１１】
図１及び図２に示すように、照明装置１は本体部４及び頭部６を備えており、頭部６は本体部４に対して上下方向及び左右方向へ回動可能に構成されている。頭部６内には照明光を発光する発光部８（図２参照）が設けられており、頭部６の前面部にはフレネルレンズ１０が設けられている。発光部８から発光され、フレネルレンズ１０を介して射出した照明光は、被写体を照明する。発光部８は、フレネルレンズ１０に対して（図中矢印方向に）移動可能に構成されており、通常、カメラ等の撮影レンズの焦点距離に応じた位置に配置される。
【００１２】
また、照明装置１は、フレネルレンズ１０から射出する照明光の照射角を広げるために用いられるワイドパネル１２、及び頭部６内上部に設けられ、ワイドパネル１２を収納する収納部１４を備えている。ワイドパネル１２は、フレネルレンズ１０の前面に配置される第１位置と、フレネルレンズ１０の前面から退避されて収納部１４に収納される第２位置との間を移動可能に構成されている。図１及び図２では、ワイドパネル１２が第２位置に配置されている状態を示している。また、図３は照明装置１の構成を示す前後方向における中央断面図であり、図３ではワイドパネル１２が第１位置に配置されている状態を示している。収納部１４に収納されているワイドパネル１２は、収納部１４から引き出され、ワイドパネル１２と固定部材１２ａとを繋ぐ回転軸１２ｂを軸として回動され、図３に示すようにフレネルレンズ１０の前面に配置される。
【００１３】
また、フレネルレンズ１０の周辺部上部の中央位置であって、第１位置に配置されたワイドパネル１２（図３）に対向する位置には、磁気センサ１６が設けられている。また、ワイドパネル１２が第１位置に配置されている場合であって、ワイドパネル１２の周辺部の磁気センサ１６に対向する位置には、磁気シート１８が設けられている。磁性体により構成されている磁気シート１８が図３に示すように磁気センサ１６に近接したとき（ワイドパネル１２が第１位置に配置されているとき）に、磁気センサ１６は磁気シート１８に対して反応する。即ち、磁気センサ１６の磁気シート１８に対する反応の有無により、ワイドパネル１２がフレネルレンズ１０の前面に配置されているか否かが検出される。
【００１４】
この実施の形態では、ワイドパネル１２を使用する際には、まず、ワイドパネル１２を収納部１４から引き出し、第１位置、即ちフレネルレンズ１０の前面に配置する。ワイドパネル１２が第１位置に配置されると、図３に示すように、磁気シート１８は磁気センサ１６に近接し、磁気センサ１６は磁気シート１８に対して反応する。磁気センサ１６が磁気シート１８に対して反応することにより、ワイドパネル１２が第１位置、即ちフレネルレンズ１０の前面に配置されていることが検出される。ワイドパネル１２が第１位置に配置されていることが検出されると、発光部８は、通常の位置（カメラの撮影レンズの焦点距離に応じた位置）から、図３に示すように、ワイドパネル１２使用時の所定位置、即ちフレネルレンズ１０に最も近いワイドパネルポジションに配置される。
【００１５】
一方、ワイドパネル１２を使用しないときには、まず、ワイドパネル１２が第１位置に配置されている場合にはワイドパネル１２を収納部１４に収納し、ワイドパネル１２を第２位置に配置する。ワイドパネル１２が第２位置に配置されると、図２に示すように、磁気シート１８は磁気センサ１６から離れ、磁気センサ１６は磁気シート１８に対して反応しない。磁気センサ１６が磁気シート１８に対して反応しないことにより、ワイドパネル１２が第１位置に配置されていないと判断され、発光部８は、ワイドパネルポジションから通常の位置（カメラの撮影レンズの焦点距離に応じた位置）に配置される。
【００１６】
第１の実施の形態に係る照明装置１によれば、従来の照明装置のようにワイドパネルが収納されているか否かを検出するのではなく、ワイドパネル１２が第１位置に配置されているか否かを検出するため、ワイドパネル１２が使用されているか否かを確実に検出することができる。例えば、図４に示すように、ワイドパネル１２が照明装置１本体から外れてしまった場合、ワイドパネルが収納部に収納されているか否かを判別することによりワイドパネルが使用中であるか否かを判別する従来の照明装置では、発光部８が図中破線で示すワイドパネルポジションに配置され続けていた。しかしながら、本実施形態の照明装置１では、図４に示すようにワイドパネル１２が照明装置１本体から外れてしまった場合、磁気センサ１６は磁気シート１８に対して反応しないことから、ワイドパネル１２が使用中でないと判別される。したがって、ユーザーが手動でワイドパネルポジションから通常の位置に配置されるように設定しなくとも、自動的に撮影レンズの焦点位置に応じた位置（通常の位置）に配置されるため、発光部８がワイドパネルポジションに配置され続けることはない。
【００１７】
なお、上述の実施の形態では、磁気センサ１６を上部中央に設けているが、フレネルレンズ１０の周辺部（上部、下部、測部）の何れかの位置に設けることもできる。この場合には、フレネルレンズ１０の周辺部の何れかの位置に設けられた磁気センサに対応する位置であって、ワイドパネル１２の周辺部に磁気シートを設ける。
【００１８】
また、１つの磁気センサ１６を備えているが、２つ以上の磁気センサを備えることもできる。例えば、図５に示すように、フレネルレンズ１０の周辺部上部（図５では上部左側）に上部磁気センサ２０を、フレネルレンズ１０の周辺部下部（図５では下部右側）に下部磁気センサ２２を設けることもできる。この場合には、ワイドパネル１２が収納部１４に収納されているときに、上部磁気センサ２０を、下部磁気センサ２２に対応してワイドパネル１２上に設けられている磁気シートに反応しない位置に配置する。
【００１９】
次に、図面を参照して、第２の実施の形態に係る照明装置について説明する。図６及び図７は、第２の実施の形態に係る照明装置の構成を示す前後方向における中央断面図であり、図６はワイドパネル１２が第２位置に配置されている状態を示す図、図７はワイドパネル１２が第１位置に配置されている状態を示す図である。図６及び図７に示すように、第２の実施の形態に係る照明装置３０は、第１の実施の形態に係る照明装置１を構成する磁気センサ２０及び磁気シート２２に代えて、ピンスイッチ３２を設けた構成を有している。したがって、第２の実施の形態に係る照明装置３０については、第１の実施の形態に係る照明装置１と同一の構成には同一の符号を用いて説明を行い、その説明を省略する。
【００２０】
照明装置３０は、フレネルレンズ１０の周辺部上部の中央位置であって、第１位置に配置されたワイドパネル１２に対向する位置に、ピンスイッチ３２を備えている。ピンスイッチ３２は、図６に示すように、頭部６のフレネルレンズ１０が設けられている面に対して出没可能なピン３２ａを備えている。ピン３２ａは、ワイドパネル１２が第２位置に配置されていないときには突出しており、ワイドパネル１２が図７に示すように第２位置に配置されたときにはワイドパネル１２の周辺部により押下されて埋没する。即ち、ピンスイッチ３２のピン３２ａが突出している場合にはワイドパネル１２がフレネルレンズ１０の前面に配置されていないと検出され、ピン３２ａが埋没している場合にはワイドパネル１２がフレネルレンズ１０の前面に配置されていると検出される。
【００２１】
この実施の形態では、ワイドパネル１２が第１位置に配置されると、図７に示すように、ピンスイッチ３２のピン３２ａはワイドパネル１２により押下されて埋没する。ピン３２ａが埋没することにより、ワイドパネル１２が第１位置、即ちフレネルレンズ１０の前面に配置されていることが検出される。ワイドパネル１２が第１位置に配置されていることが検出されると、発光部８は、通常の位置から、図７に示すように、ワイドパネルポジションに配置される。一方、ワイドパネル１２が第２位置に配置されると、図６に示すように、ピンスイッチ３２のピン３２ａは突出し、ピン３２ａが突出することにより、ワイドパネル１２が第１位置に配置されていないと判断され、発光部８は、ワイドパネルポジションから通常の位置（例えば、図６に示す位置）に配置される。
【００２２】
第２の実施の形態に係る照明装置３０によれば、従来の照明装置のようにワイドパネルが収納されているか否かを検出するのではなく、ワイドパネル１２が第１位置に配置されているか否かを検出するため、ワイドパネル１２が使用されているか否かを確実に検出することができる。即ち、例えばワイドパネル１２が照明装置３０本体から外れてしまった場合、ピンスイッチ３２のピン３２ａが埋没しないことから、ワイドパネル１２が使用中でないと判別される。したがって、ユーザーが手動でワイドパネルポジションから通常の位置に配置されるように設定しなくとも、自動的に撮影レンズの焦点位置に応じた位置（通常の位置）に配置されるため、発光部８がワイドパネルポジションに配置され続けることはない。
【００２３】
なお、上述の実施の形態では、ピンスイッチ３０を上部中央に設けているが、フレネルレンズ１０の周辺部（上部、下部、測部）の何れかの位置に設けることもできる。また、１つのピンスイッチ３０を備えているが、２つ以上のピンスイッチを備えることもできる。更に、第１及び第２の実施の形態に係る磁気センサ及びピンスイッチの両方をフレネルレンズ１０の周辺部（上部、下部、測部）の何れかの位置に設けることもできる。
【符号の説明】
【００２４】
１，３０…照明装置、２…脚部、４…本体部、６…頭部、８…発光部、１０…フレネルレンズ、１２…ワイドパネル、１４…収納部、１６…磁気センサ、１８…磁気シート、３２…ピンスイッチ、３２ａ…ピン。
【図１】
2010164870.tif 000003
【図２】
2010164870.tif 000004
【図３】
2010164870.tif 000005
【図４】
2010164870.tif 000006
【図５】
2010164870.tif 000007
【図６】
2010164870.tif 000008
【図７】
2010164870.tif 000009